(57)【要約】【課題】タスク処理の所要時間だけでなく、リソースの効率、仕事率などの能力、及びリソースの保持状態を表示することができるリソース管理装置を提供する。【解決手段】第１のデータと第２のデータとを入力する入力手段１４と、入力された第１のデータと第２のデータを用い処理率を求め、第２のリソースの保持量を求め、第１のリソースの処理量、処理率、第２のリソースの保持量、第２のリソースに対して保持状態を要求する複数の第１のリソースから第２のリソースの保持時間を求める処理手段１３と、第１のリソースの処理量が三角形の高さで表され、かつ第１のリソースの処理率が三角形の処理量を表す辺に対向する角度で表されている三角形を時間軸上に配列し、さらに第２のリソースの保持量が長方形の高さで表され、かつ第２のリソースの保持時間が長方形の高さに直交する辺の長さで表され、三角形と共に処理と保持の連続動作として三角形と長方形を組み合わせた台形を時間軸上に配列して表示する表示手段１５とを備えた。【選択図】        図１
2005025342.tif 000002
【特許請求の範囲】
【請求項１】
所定のタスクを処理する第１のリソースの処理状態を求めるための第１のデータと所定の状態を保持する第２のリソースの保持状態を求めるための第２のデータとを入力する入力手段と、
入力された入力された第１のデータと第２のデータを用い、第１のリソースの処理量と第１のリソースの単位時間当たりの処理量である処理率を求め、第２のリソースの保持量を求め、前記第１のリソースの処理量、処理率、第２のリソースの保持量、第２のリソースに対して保持状態を要求する複数の第１のリソースから第２のリソースの保持時間を求める処理手段と、
前記第１のリソースの処理量が三角形の高さで表され、かつ第１のリソースの処理率が三角形の処理量を表す辺に対向する角度で表されている三角形を時間軸上に配列し、さらに第２のリソースの保持量が長方形の高さで表され、かつ第２のリソースの保持時間が長方形の高さに直交する辺の長さで表され、三角形と共に処理と保持の連続動作として三角形と長方形を組み合わせた台形を時間軸上に配列して表示する表示手段とを備えたことを特徴とするリソース管理装置。
【請求項２】
前記表示手段は三角形及び長方形の形状または時間軸上の位置の変化に応じ、第２のリソースの保持時間を更新して表示することを特徴とする請求項１記載のリソース管理装置。
【請求項３】
所定のタスクを処理する第１のリソースの処理状態を求めるための第１のデータと所定の状態を保持する第２のリソースの保持状態を求めるための第２のデータとを入力する第１のステップと、
入力された第１のデータと第２のデータを用い、第１のリソースの処理量と第１のリソースの単位時間当たりの処理量である処理率を求め、第２のリソースの保持量を求め、第１のリソースの処理量、処理率、第２のリソースの保持量、第２のリソースに対して保持状態を要求する複数の第１のリソースから第２のリソースの保持時間を求める第２のステップと、
第１のリソースの処理量が三角形の高さで表され、かつ第１のリソースの処理率が三角形の処理量を表す辺に対向する角度で表されている三角形を時間軸上に配列し、さらに第２のリソースの保持量が長方形の高さで表され、かつ第２のリソースの保持時間が長方形の高さに直交する辺の長さで表され、三角形と共に処理と保持の連続動作として三角形と長方形を組み合わせた台形を時間軸上に配列して表示する第３のステップとを有することを特徴とするリソース管理方法。
【請求項４】
前記第３のステップにおいて、三角形及び長方形の形状または時間軸上の位置の辺化が生じた場合には、三角形及び長方形の形状または時間軸上の位置の変化に応じ、第２のリソースの保持時間を更新することを特徴とする請求項３記載のリソース管理方法。
【請求項５】
請求項３乃至４の何れか一項に記載のリソース管理方法をコンピュータが制御可能にプログラミングしたことを特徴とするリソース管理プログラム。
【請求項６】
請求項５に記載のリソース管理プログラムをコンピュータが読み取り可能な形式で記録したことを特徴とする記録媒体。
【発明の詳細な説明】
【０００１】
【発明の属する技術分野】
本発明は、製造ラインの工程管理、画像処理システムの画像データ管理などのリソース管理に適用されるリソース管理装置、リソース管理方法、リソース管理プログラム及び記録媒体に関するものである。
【０００２】
【従来の技術】
従来、この種のリソース管理装置は、ガントチャートを用い、それぞれのリソース（作業者や製造装置）が行うタスクの進行状況を、リソース毎に設定されたカード状や板状のタスクバー（各タスクの実行期間などを表す）で時間上に配列し、タスクの管理を行うものであった。この種のリソース管理装置に関するものとしては、例えば、特許文献１〜３記載の技術がある。
この種のリソース管理装置においては、作業工程などのタスクごとに開始時間、終了時間、所要時間を設定し、それらを図形化して時間軸上に並べて表示する。また、タスク同士の依存関係（前のタスクが終了したら次のタスクへ進む）があれば、グラフィック表示によりタスクバーをつないで、依存関係を保つ。さらに、タスクバーの移動や長さを変更することによりタスクの実行計画を修正して表示する。このようにして、リソースが行うタスクを管理することができる。
【特許文献１】特開平６−１９５３４５号公報
【特許文献２】特開平１０−１１８８９６号公報
【特許文献３】特許第２９７３９３０号
【０００３】
【発明が解決しようとする課題】
しかしながら、このような従来のリソース管理装置では、ガントチャートを用いてタスクの所要時間を表現していたために、タスクを処理するリソースの能力（効率）を表現できないという問題があった。具体的には、能力の高いリソース（高性能の製造装置、熟練の作業者）は、能力の低いリソースに比べ、同じタスクを速く処理することが可能であって、タスクの所要時間は短縮されることになる。
ここで、前述した従来のリソース管理装置においては、リソースの能力とタスクの所要時間との因果関係を視覚的に表現できなかった。また、前述した従来のリソース管理装置では、リソースの保持動作を表現する機能がないために、簡単なリソース管理しかできないという問題があった。
本発明は、このような問題を解決するためになされたもので、タスク処理の所要時間だけでなく、リソースの効率、仕事率などの能力、及びリソースの保持状態を表示することができるリソース管理装置、リソース管理方法、リソース管理プログラム及び記録媒体を提供することを目的とするものである。
【０００４】
【課題を解決するための手段】
前記目的を達成するために、請求項１記載の発明では、所定のタスクを処理する第１のリソースの処理状態を求めるための第１のデータと所定の状態を保持する第２のリソースの保持状態を求めるための第２のデータとを入力する入力手段と、入力された第１のデータと第２のデータを用い、第１のリソースの処理量と第１のリソースの単位時間当たりの処理量である処理率を求め、第２のリソースの保持量を求め、第１のリソースの処理量、処理率、第２のリソースの保持量、第２のリソースに対して保持状態を要求する複数の第１のリソースから第２のリソースの保持時間を求める処理手段と、第１のリソースの処理量が三角形の高さで表され、かつ第１のリソースの処理率が三角形の処理量を表す辺に対向する角度で表されている三角形を時間軸上に配列し、さらに第２のリソースの保持量が長方形の高さで表され、かつ第２のリソースの保持時間が長方形の高さに直交する辺の長さで表され、三角形と共に処理と保持の連続動作として三角形と長方形を組み合わせた台形を時間軸上に配列して表示する表示手段とを備えたリソース管理装置を最も主要な特徴とする。
【０００５】
請求項２記載の発明では、前記表示手段は三角形及び長方形の形状または時間軸上の位置の変化に応じ、第２のリソースの保持時間を更新して表示する請求項１記載のリソース管理装置を主要な特徴とする。
請求項３記載の発明では、所定のタスクを処理する第１のリソースの処理状態を求めるための第１のデータと所定の状態を保持する第２のリソースの保持状態を求めるための第２のデータとを入力する第１のステップと、入力された第１のデータと第２のデータを用い、第１のリソースの処理量と第１のリソースの単位時間当たりの処理量である処理率を求め、第２のリソースの保持量を求め、第１のリソースの処理量、処理率、第２のリソースの保持量、第２のリソースに対して保持状態を要求する複数の第１のリソースから第２のリソースの保持時間を求める第２のステップと、第１のリソースの処理量が三角形の高さで表され、かつ第１のリソースの処理率が三角形の処理量を表す辺に対向する角度で表されている三角形を時間軸上に配列し、さらに第２のリソースの保持量が長方形の高さで表され、かつ第２のリソースの保持時間が長方形の高さに直交する辺の長さで表され、三角形と共に処理と保持の連続動作として三角形と長方形を組み合わせた台形を時間軸上に配列して表示する第３のステップとを有するリソース管理方法を最も主要な特徴とする。
請求項４記載の発明では、前記第３のステップにおいて、三角形及び長方形の形状または時間軸上の位置の辺化が生じた場合には、三角形及び長方形の形状または時間軸上の位置の変化に応じ、第２のリソースの保持時間を更新する請求項３記載のリソース管理方法を主要な特徴とする。
請求項５記載の発明では、請求項３乃至４の何れか一項に記載のリソース管理方法をコンピュータが制御可能にプログラミングしたことを特徴とする。
請求項６記載の発明では、請求項５に記載のリソース管理プログラムをコンピュータが読み取り可能な形式で記録したことを特徴とする。
【０００６】
【発明の実施の形態】
以下、本発明の実施形態について、図面を用いて説明する。
図１は本発明の実施の形態に係るリソース管理装置のブロック図である。
媒体駆動装置（ここではハードディスクドライブＨＤＤ）１１は、プログラムやデータを記録した記録媒体を装着して読み込み、メモリ１２に格納するのに用いられる。
メモリ１２は、ＲＡＭなどで構成され、制御部１３の制御プログラムを記録すると共に、この制御プログラムが制御部１３によって実行されるときに一時的に作成される情報などを保持するためのものである。
制御部１３は、各部を制御して本実施形態のリソース管理機能を実現する中央処理ユニット（以下、ＣＰＵと呼ぶ）である。
入力部１４は、キーボード、マウス、タッチパネルなどで構成され、リソースの処理量、処理率、保持時間を求めるためのデータ、及び、リソース管理に関する指示等の情報入力に用いられるものである。
表示部１５は、ＣＲＴ、または、液晶ディスプレイなどで構成され、入力部１４から入力された情報やリソース処理状態等の出力情報を表示するものである。図中で矢印は、データやプログラムの流れを表す。
【０００７】
本実施形態ではリソース管理の制御プログラムをＨＤＤ１１よりメモリ１２へ読み込み、入力部１４より入力されたリソース管理情報を基にＣＰＵ１３でリソース状態を管理し、その結果を表示部１５に表示させることにより、リソース状態を分りやすく表示することが可能となる。
さらに、前述の記録媒体としては、半導体媒体（例えば、ＲＯＭ、ＩＣメモリカードなど）、光触媒（例えばＣＤ−ＲＯＭ、ＤＶＤ、光磁気ディスク（ＭＯ）、ミニディスク（ＭＤ）、書き込み可能なＣＤ（ＣＤ−Ｒ）など）、磁気媒体（例えば、磁気テープ、ＦＤなど）のいずれであっても良い。
また前述の記録媒体からインストールされるプログラムとして、本実施形態のリソース管理機能を実現するために用いられるリソース管理プログラムがあるが、このプログラムを予め記録媒体に書き込んでおき、媒体駆動装置１１を搭載したリソース管理装置に前記記録媒体を装着して、前記リソース管理プログラムをコンピュータ装置の制御メモリあるいは記憶装置に格納し、ＣＰＵ１３により実行することにより、本実施形態のリソース管理機能を実現するものである。さらにリソース管理プログラムがＲＯＭなどのような半導体の記録媒体に記録されている場合には、媒体駆動装置１１からではなく、直接メモリ１２へロードして実行されることとなる。
なお、メモリ１２へロードしたリソース管理プログラムを実行することにより、本実施形態のリソース管理機能が実現されるだけでなく、リソース管理プログラムの指示に基づき、オペレーティングシステムなどが実際の処理の一部あるいは全部を行い、その処理によって本実施形態のリソース管理機能が実現されるようにしても良い。
【０００８】
次にリソース管理プログラムについて図２に基いて説明する。リソース管理プログラムは、ＣＰＵ１３に入力部１４によりリソースの処理状態の更新情報を入力して登録、更新するステップ２１（第１のステップに含まれる）と、ステップ２１で登録、更新された情報を用いてＣＰＵ１３によりリソースの処理状態を計算するステップ２２（第２のステップに含まれる）と、ステップ２２で算出されたリソースの処理状態を示す表示するステップ２３（第３のステップ）と、入力部１４によりリソースの処理状態に関する情報が登録、更新されたかを判断するステップ２４（第４のステップに含まれる）とを実行させるものである。
【０００９】
次に、図３から図６を用い、本実施形態におけるリソースの処理状態、保持状態の表示方法を具体的にデジタル複写機を例に説明する。リソースとしては図３に示すデジタル複写機を構成するスキャナユニット３１、画像メモリ３２、ＨＤＤ３３、プリンタエンジン３４がある。
デジタル複写機において複写動作に際しては、スキャナユニット３１のＣＣＤが原稿を読み取り画像データを画像メモリ３２に送る。画像メモリ３２に展開されたデータは、エラー時のバックアップのためにＨＤＤ３３に蓄積され、またプリンタエンジン３４に送られ、印刷される。
スキャナユニット３１が「画像を読み取り転送する」という処理を三角形４１で表すと図４のようになる。４２は時間軸、４３は処理率に相当するスキャナユニット３１の読み取り転送速度で１０ＭＢｙｔｅ／ｓ（メガバイトパーセカンド）の能力を持つ。４４は処理量に相当する原稿のデータ量で２０ＭＢｙｔｅ（メガバイト）のサイズである。４５は処理時間に相当し、２０ＭＢｙｔｅ／（１０ＭＢｙｔｅ／ｓ）＝２ｓとなる。
【００１０】
画像メモリ３２が「スキャナユニット３１から送られたデータを保持する」という保持動作を長方形５１で表すと図５のようになる。５２は時間軸、５４は保持量に相当する原稿のデータ量で、２０ＭＢｙｔｅ（メガバイト）のサイズである。５５は保持時間に相当し、４ｓ間保持している。
また画像メモリ３２が、スキャナユニット３１から「画像データを入力し、保持する」という処理と保持の連続動作を表すには図６の台形６１で表現できる。前述したように台形の前半部は処理を表し、後半部は保持を表す。画像データが入力完了するまでの時間は２ｓでその後の４ｓはメモリ上にデータを保持している。
これらの図形を使ってデジタル複写機全体の画像処理動作を表現したのが図７である。スキャナユニット３１が「画像を読み取り転送する」という処理を三角形７２で表す。画像メモリ３２が、スキャナユニット３１から「画像データを入力し、保持する」という処理と保持の連続動作を台形７３で表す。
ＨＤＤ３３が画像メモリ３２に展開されたデータをバックアップ用に保存するという処理を三角形７４で表す。プリンタエンジン３４が画像メモリ３２に展開されたデータを印刷するという処理を三角形７５で表す。
画像メモリ３２上でのデータの保持はＨＤＤ３３への転送終了（時刻：７４Ｔ）もしくはプリンタエンジン３４での印刷終了（時刻：７５Ｔ）の遅い方の時間まで保持する必要がある。
【００１１】
このようなデジタル複写機での複写動作を図７のようにリソース管理するには、図８に示すような計算が行われている。入力される処理率と処理量を基に、処理時間を求め、リソース管理情報を基に開始時間、終了時間を決定する。この結果、図７に示すようなタイムチャートを表示部に表示する。ここでリソース管理情報とは、図７で点線や破線で示した情報である。
本実施例では、画像処理システムの画像データ管理を三角形や台形を時間軸上に並べて表現するので、タスクの所要時間だけでなく、リソースの能力、処理量、保持量なども合わせて表現できるので、視覚的に直感的にリソースの状態やシステムの動作を把握しやすいという利点がある。
ここで、ＨＤＤ３３の転送速度を２０Ｍｂｙｔｅ／ｓから２．５Ｍｂｙｔｅ／ｓに変更した場合の実施例を考える。図９に示すようにＨＤＤ３３の処理率の更新が行われる、ＨＤＤ３３の処理時間、終了時間が更新される。画像メモリ３２の保持終了時刻は今度はＨＤ３３Ｄへの転送完了時刻で決まってくるので、その値も更新される。その後、表示部に図１０のように表示される。
本実施例では、リソースの処理、保持状態に関する情報を基に、計算が行われ、新しいリソースの処理、保持状態を表示するので、効率よくリソースの管理を行うことができる利点がある。
【００１２】
以上説明したように、本発明はリソースの処理量を三角形の高さで表し、処理率を三角形の角度で表し、保持量を台形の高さで表し、保持時間は保持状態を要求する複数のリソースで決定し、リソースの処理、保持状況を表示することができるのという優れた効果を有するリソース管理装置、リソース管理方法、リソース管理プログラム及び記録媒体を提供することができるものである。
請求項１のリソース管理装置は、所定のタスクを処理する第１のリソースの処理状態を求めるための第１のデータと、所定の状態を保持する第２のリソースの保持状態を求めるための第２のデータと、を入力する入力手段と、入力された第１のデータと第２のデータを用い、第１のリソースの処理量と第１のリソースの、単位時間当たりの処理量である処理率を求め、第２のリソースの保持量を求め、第１のリソースの処理量、処理率、及び第２のリソースの保持量、及び、第２のリソースに対して保持状態を要求する複数の第１のリソースから、第２のリソースの保持時間を求める処理手段と、第１のリソースの処理量が三角形の高さで表され、かつ第１のリソースの処理率が三角形の処理量を表す辺に対向する角度で表されている三角形を時間軸上に配列し、さらに第２のリソースの保持量が長方形の高さで表され、かつ第２のリソースの保持時間が長方形の高さに直交する辺の長さで表され、三角形と共に、処理と保持の連続動作として、三角形と長方形を組み合わせた台形を時間軸上に配列して表示する表示手段と、を設けた構成を有している。この構成により、リソースごとの処理状態（リソースの処理量及び処理率、保持量、保持時間）を算出し、タスクの所要時間だけでなく、処理能力を図形表現してリソース管理を支援するので、従来のガントチャートなどに比べてリソースの状態を把握しやすい。
また、従来のガントチャートではできなかった、リソースの状態保持動作を表現できるため、複雑なりソース動作を簡単に表現できる。
また、デジタル複写機などの画像機器システムにおけるリソース間の画像データの流れや、メモリ上での画像データの管理に適用することで、リソース状態を分りやすく表示し画像機器システムを最適に設計することができる。
【００１３】
請求項２のリソース管理装置は、請求項１において、前記表示手段は三角形及び長方形の形状または時間軸上の位置の変化に応じ、第２のリソースの保持時間を更新して表示する、構成を有している。この構成により、リソースの保持時間の変化をグラフィック表示するので、従来のガントチャートなどに比べてリソースの状態を視覚的かつ直感的に把握しやすい。
請求項３のリソース管理方法は、所定のタスクを処理する第１のリソースの処理状態を求めるための第１のデータと、所定の状態  を保持する第２のリソースの保持状態を求めるための第２のデータと、を入力する第１のステップと、入力された第１のデータと第２のデータを用い、第１のリソースの処理量と第１のリソースの、単位時間当たりの処理量である処理率を求め、第２のリソースの保持量を求め、第１のリソースの処理量、処理率、及び第２のリソースの保持量、及び、第２のリソースに対して保持状態を要求する複数の第１のリソースから、第２のリソースの保持時間を求める第２のステップと、第１のリソースの処理量が三角形の高さで表され、かつ第１のリソースの処理率が三角形の処理量を表す辺に対向する角度で表されている三角形を時間軸上に配列し、さらに第２のリソースの保持量が長方形の高さで表され、かつ第２のリソースの保持時間が長方形の高さに直交する辺の長さで表され、三角形と共に、処理と保持の連続動作として、三角形と長方形を組み合わせた台形を時間軸上に配列して表示する第３のステップと、を実行している。
この方法により、前述のように、リソースごとの処理状態（リソースの処理量及び処理率、保持量、保持時間）を算出し、タスクの所要時間だけでなく、処理能力を図形表現してリソース管理を支援するので、従来のガントチャートなどに比べてリソースの状態を把握しやすい。
また、従来のガントチャートではできなかった、リソースの状態保持動作を表現できるため、複雑なりソース動作を簡単に表現できる。
【００１４】
請求項４のリソース管理方法は、請求項３において、三角形及び長方形の形状または時間軸上の位置の変化が生じた場合には、三角形及び長方形の形状または時間軸上の位置の変化に応じ、第２のリソースの保持時間を更新している。この方法により、前述のように、リソースの保持時間の変化をグラフィック表示するので、従来のガントチャートなどに比べてリソースの状態を視覚的かつ直感的に把握しやすい。
請求項５の記録媒体は、コンピュータに、所定のタスクを処理する第１のリソースの処理状態を求めるための第１のデータと、所定の状態  を保持する第２のリソースの保持状態を求めるための第２のデータと、を入力する第１のステップと、入力された第１のデータと第２のデータを用い、第１のリソースの処理量と第１のリソースの、単位時間当たりの処理量である処理率を求め、第２のリソースの保持量を求め、第１のリソースの処理量、処理率、及び第２のリソースの保持量、及び、第２のリソースに対して保持状態を要求する複数の第１のリソースから、第２のリソースの保持時間を求める第２のステップと、第１のリソースの処理量が三角形の高さで表され、かつ第１のリソースの処理率が三角形の処理量を表す辺に対向する角度で表されている三角形を時間軸上に配列し、さらに第２のリソースの保持量が長方形の高さで表され、かつ第２のリソースの保持時間が長方形の高さに直交する辺の長さで表され、三角形と共に、処理と保持の連続動作として、三角形と長方形を組み合わせた台形を時間軸上に配列して表示する第３のステップと、を実行させるためのプログラムが記録されている。
この記録媒体により、リソースごとの処理状態（リソースの処理量及び処理率、保持量、保持時間）を算出し、タスクの所要時間だけでなく、処理能力を図形表現してリソース管理を支援するので、従来のガントチャートなどに比べてリソースの状態を把握しやすい。
また、従来のガントチャートではできなかった、リソースの状態保持動作を表現できるため、複雑なりソース動作を簡単に表現できる。また、この記録媒体を携帯して移動させることで、前記プログラムを配布し、容易に更新することができる。
【００１５】
請求項６のリソース管理プログラムは、所定のタスクを処理する第１のリソースの処理状態を求めるための第１のデータと、所定の状態  を保持する第２のリソースの保持状態を求めるための第２のデータと、を入力する第１のステップと、入力された第１のデータと第２のデータを用い、第１のリソースの処理量と第１のリソースの、単位時間当たりの処理量である処理率を求め、第２のリソースの保持量を求め、第１のリソースの処理量、処理率、及び第２のリソースの保持量、及び、第２のリソースに対して保持状態を要求する複数の第１のリソースから、第２のリソースの保持時間を求める第２のステップと、第１のリソースの処理量が三角形の高さで表され、かつ第１のリソースの処理率が三角形の処理量を表す辺に対向する角度で表されている三角形を時間軸上に配列し、さらに第２のリソースの保持量が長方形の高さで表され、かつ第２のリソースの保持時間が長方形の高さに直交する辺の長さで表され、三角形と共に、処理と保持の連続動作として、三角形と長方形を組み合わせた台形を時間軸上に配列して表示する第３のステップを実行させている。
このプログラムにより、前述のように、リソースごとの処理状態（リソースの処理量及び処理率、保持量、保持時間）を算出し、タスクの所要時間だけでなく、処理能力を図形表現してリソース管理を支援するので、従来のガントチャートなどに比べてリソースの状態を把握しやすい。また、従来のガントチャートではできなかった、リソースの状態保持動作を表現できるため、複雑なりソース動作を簡単に表現できる。また、ネットワークを通じて前記プログラムを配布し、容易に更新できることとなる。
【図面の簡単な説明】
【図１】リソース管理装置のブロック図。
【図２】リソース管理方法を示すフローチャート。
【図３】デジタル複写機のブロック図。
【図４】リソース処理状態表示方法の説明図。
【図５】リソース処理状態表示方法の説明図。
【図６】リソース処理状態表示方法の説明図。
【図７】デジタル複写機におけるリソースの処理、保持を示すタイミングチャート。
【図８】タイミングチャートを決定するテーブルの説明図。
【図９】タイミングチャートを決定するテーブルの説明図。
【図１０】デジタル複写機におけるリソースの処理、保持を示すタイミングチャート。
【符号の説明】
１１  媒体駆動装置（ハードディスクドライブＨＤＤ）
１２  メモリ
１３  制御部
１４  入力部
１５  表示部
【図１】
2005025342.tif 000003
【図２】
2005025342.tif 000004
【図３】
2005025342.tif 000005
【図４】
2005025342.tif 000006
【図５】
2005025342.tif 000007
【図６】
2005025342.tif 000008
【図７】
2005025342.tif 000009
【図８】
2005025342.tif 000010
【図９】
2005025342.tif 000011
【図１０】
2005025342.tif 000012